(57)【特許請求の範囲】
【請求項１】
下枠の縁部を防水パンの上面に重ね合わせた状態で枠体を、浴室と前記浴室に隣接した脱衣室との間に設置するようにした浴室用建具の取付構造において、
前記防水パンの止水面及び前記下枠の止水面の間に、互いの間を通じた水の通過を阻止するように止水材を配設し、かつ前記防水パンと前記下枠との間には前記止水材を前記防水パン及び前記下枠のそれぞれに対して圧着した状態に維持する圧着機構を設け、
前記圧着機構は、前記防水パン及び前記下枠のいずれか一方に配設し、前記防水パンの止水面と前記下枠の止水面との間に前記止水材を配設した状態で前記防水パン及び前記下枠のいずれか他方に当接した場合に前記防水パンの止水面及び前記下枠の止水面を互いに近接する方向に向けて押圧する押圧部材を備え、
前記防水パン及び前記下枠は、前記止水面のそれぞれが見込み方向に沿って並設するように構成したものであり、
前記押圧部材は、前記防水パンに対して前記下枠を前記脱衣室に向けて押圧することを特徴とする浴室用建具の取付構造。
【請求項２】
前記防水パン及び前記下枠のいずれか一方に設けた押圧部材は、前記防水パン及び前記下枠のいずれか他方に当接する当接位置と、前記防水パン及び前記下枠のいずれか他方に非当接となる非当接位置との二位置に変位するように、前記防水パン及び前記下枠のいずれか一方に対して移動可能に配設したことを特徴とする請求項１に記載の浴室用建具の取付構造。
【請求項３】
前記防水パンは、別体に成形した延長部材を備え、前記下枠に配設した押圧部材を前記延長部材に当接させたことを特徴とする請求項１に記載の浴室用建具の取付構造。
【発明の詳細な説明】
【技術分野】
【０００１】
本発明は、下枠の縁部を防水パンの上面に重ね合わせた状態で枠体を、浴室と脱衣室との間に設置するようにした浴室用建具の取付構造に関するものである。
【背景技術】
【０００２】
浴室と、浴室に隣接する脱衣室との間に設置する浴室用建具では、浴室からの漏水がないように止水性を確保した状態で設置されている。例えば、特許文献１においては、防水パンと下枠との間に止水材を配設することによって浴室の水が外部に漏れ出るのを防止するようにしている。
【先行技術文献】
【特許文献】
【０００３】
【特許文献１】特開２００１−１７３３１７号公報
【発明の概要】
【発明が解決しようとする課題】
【０００４】
上述した止水材は、下枠の全長にわたる部位が防水パン及び下枠に連続して当接していることが好ましいのはいうまでもない。しかしながら、浴室の防水パンのように比較的大きな面積を有したものを樹脂によって精度良く成形することは難しく、下枠との対向面についても必ずしも平坦であるとは限らない。また、アルミニウム合金や樹脂によって成形される下枠についても、断面に対して長尺であるため、成形誤差や反り等の変形の影響を受け易く、防水パンとの対向面が平坦であるとは限らない。このため、止水材を介在させた状態で枠体を設置した場合にも、下枠の全長にわたって止水材を防水パン及び下枠に連続して当接させることは難しい。
【０００５】
本発明は、上記実情に鑑みて、浴室からの漏水をより確実に防止することのできる浴室用建具の取付構造を提供することを目的とする。
【課題を解決するための手段】
【０００６】
上記目的を達成するため、本発明に係る浴室用建具の取付構造は、下枠の縁部を防水パンの上面に重ね合わせた状態で枠体を、浴室と前記浴室に隣接した脱衣室との間に設置するようにした浴室用建具の取付構造において、前記防水パンの止水面及び前記下枠の止水面の間に、互いの間を通じた水の通過を阻止するように止水材を配設し、かつ前記防水パンと前記下枠との間には前記止水材を前記防水パン及び前記下枠のそれぞれに対して圧着した状態に維持する圧着機構を設け、前記圧着機構は、前記防水パン及び前記下枠のいずれか一方に配設し、前記防水パンの止水面と前記下枠の止水面との間に前記止水材を配設した状態で前記防水パン及び前記下枠のいずれか他方に当接した場合に前記防水パンの止水面及び前記下枠の止水面を互いに近接する方向に向けて押圧する押圧部材を備え、前記防水パン及び前記下枠は、前記止水面のそれぞれが見込み方向に沿って並設するように構成したものであり、前記押圧部材は、前記防水パンに対して前記下枠を前記脱衣室に向けて押圧することを特徴とする。
【０００７】
この発明によれば、防水パンと下枠との間に圧着機構を設けているため、防水パン及び下枠に対して止水材が圧着していない部分を下枠の全長にわたってなくすことが可能となり、浴室からの漏水をより確実に防止することができる。
【０００８】
また本発明は、上述した浴室用建具の取付構造において、前記圧着機構は、前記防水パン及び前記下枠のいずれか一方に配設し、前記防水パンの止水面と前記下枠の止水面との間に前記止水材を配設した状態で前記防水パン及び前記下枠のいずれか他方に当接した場合に前記防水パンの止水面及び前記下枠の止水面を互いに近接する方向に向けて押圧する押圧部材を備えたことを特徴とする。
【０００９】
この発明によれば、押圧部材によって互いに近接する方向に押圧された防水パンの止水面と下枠の止水面との間において止水材が圧着され、浴室からの漏水をより確実に防止することができる。
【００１０】
また本発明は、上述した浴室用建具の取付構造において、前記防水パン及び前記下枠は、前記止水面のそれぞれが上下方向に沿って並設するように構成したものであり、前記押圧部材は、前記防水パンに対して前記下枠を下方に向けて押圧することを特徴とする。
【００１１】
この発明によれば、上下方向に並設した防水パンの止水面と下枠の止水面とが押圧部材によって近接し、互いの間に配設した止水材がそれぞれの止水面に圧着される。
【００１３】
この発明によれば、見込み方向に並設した防水パンの止水面と下枠の止水面とが押圧部材によって近接し、互いの間に配設した止水材がそれぞれの止水面に圧着される。
【００１４】
また本発明は、上述した浴室用建具の取付構造において、前記防水パン及び前記下枠のいずれか一方に設けた押圧部材は、前記防水パン及び前記下枠のいずれか他方に当接する当接位置と、前記防水パン及び前記下枠のいずれか他方に非当接となる非当接位置との二位置に変位するように、前記防水パン及び前記下枠のいずれか一方に対して移動可能に配設したことを特徴とする。
【００１５】
この発明によれば、押圧部材を非当接位置に配置することで防水パンの止水面と下枠の止水面との間に止水材を容易に配設することができ、その後、押圧部材を当接位置に配置することでそれぞれの止水面に止水材を圧着させることができる。
【００１６】
また本発明は、上述した浴室用建具の取付構造において、前記防水パンは、別体に成形した延長部材を備え、前記下枠に配設した押圧部材を前記延長部材に当接させたことを特徴とする。
【００１７】
この発明によれば、防水パンの形状に関わらず、延長部材によって任意の位置に押圧部材を当接させることが可能となる。従って、止水性や組立作業性を考慮して押圧部材の当接位置を設定することができ、止水性及び組立作業性を向上することができる。
【００１８】
また本発明は、上述した浴室用建具の取付構造において、前記圧着機構は、前記防水パン及び前記下枠のいずれか一方に設けた係合突起と、前記防水パン及び前記下枠のいずれか他方に設けたフック部とを備え、前記係合突起は、前記防水パンの止水面と前記下枠の止水面との間に前記止水材を配設した状態で前記防水パンの止水面及び前記下枠の止水面を互いに近接する方向に向けて押圧した場合に前記フック部に係合し、前記防水パン及び前記下枠が互いに離反する方向に移動するのを制限することを特徴とする。
【００１９】
この発明によれば、防水パンの止水面と下枠の止水面との間に止水材を配設した状態で防水パンの止水面及び下枠の止水面を互いに近接する方向に向けて押圧すれば、係合突起がフック部に係合し、そのまま止水材が圧着された状態に維持されるため、組立作業性の点で有利となる。
【００２０】
また本発明は、上述した浴室用建具の取付構造において、前記圧着機構は、前記防水パン及び前記下枠のいずれか一方に形成し、前記止水面に交差する方向に沿って延在するネジ孔と、前記ネジ孔に螺合し、ネジ部の先端面が前記防水パン及び前記下枠のいずれか他方において前記止水面に沿って延在した当接面に当接可能となるネジ部材とを備え、前記ネジ部の先端面が前記当接面に当接した状態で前記ネジ部材を螺進させ、前記ネジ部材の螺進方向に沿って前記防水パン及び前記下枠を相対移動させることにより、前記防水パン及び前記下枠のそれぞれに対して前記止水材を圧着させることを特徴とする。
【００２１】
この発明によれば、ネジ部の先端面が防水パン及び下枠のいずれかに当接した状態で、ネジ部材を螺進させると、防水パン及び下枠が相対移動することによって止水材がそれぞれの止水面に圧着された状態に維持される。螺進とは、ネジ部材を適宜方向に回転させることによって軸方向に移動させることである。
【００２２】
また本発明は、上述した浴室用建具の取付構造において、前記防水パン及び前記下枠のそれぞれは、上下方向に沿って並設する第１組の止水面と、見込み方向に沿って並設する第２組の止水面とを有し、前記圧着機構は、前記第１組の止水面及び前記第２組の止水面のそれぞれに対して傾斜して延在するように前記下枠に設けたガイド通路と、前記ガイド通路の延在方向に沿ってスライド可能に配設したスライダと、前記第１組の止水面及び前記第２組の止水面のいずれか一方に沿う方向に沿って前記防水パンの支持壁部に設けたネジ孔と、前記スライダに設けた挿通孔を介して前記防水パンのネジ孔に螺合したネジ部材とを備え、前記ネジ部材の螺進による前記スライダの移動に伴って前記ガイド通路の延在方向に沿って前記防水パン及び前記下枠を相対移動させ、前記防水パン及び前記下枠に前記止水材を圧着させることを特徴とする。
【００２３】
この発明によれば、ネジ部材を螺進させると、スライダがガイド通路の延在方向に沿って移動し、防水パン及び下枠がガイド通路の延在方向に沿って相対的に移動する。これにより、第１組の止水面の間に配設した止水材がそれぞれの止水面に圧着された状態に維持されるとともに、第２組の止水面の間に配設した止水材がそれぞれの止水面に圧着された状態に維持される。
【００２４】
また本発明は、上述した浴室用建具の取付構造において、前記防水パンは、別体に成形した延長部材を備え、前記延長部材に前記ネジ孔を設けたことを特徴とする。
【００２５】
この発明によれば、防水パンの形状に関わらず、延長部材によって任意の位置にネジ孔を設けることが可能となる。従って、止水性や組立作業性を考慮してネジ孔の位置を設定することができ、止水性及び組立作業性を向上することができる。
【発明の効果】
【００２６】
本発明によれば、防水パンと下枠との間に圧着機構を設けているため、防水パン及び下枠に対して止水材が圧着していない部分を下枠の全長にわたってなくすことが可能となり、浴室からの漏水をより確実に防止することができる。
【図面の簡単な説明】
【００２７】
【図１】図１は、本発明の実施の形態１である取付構造を適用した浴室用建具の縦断面図である。
【図２】図２は、図１に示した浴室用建具の横断面図である。
【図３】図３は、図１に示した浴室用建具の要部を示す拡大縦断面図である。
【図４】図４は、図１に示した浴室用建具の要部を示す拡大横断面図である。
【図５】図５は、図１に示した浴室用建具の枠体を防水パンに載置する以前の状態を拡大して示す分解縦断面図である。
【図６】図６は、図１に示した浴室用建具の枠体を防水パンに載置した状態を拡大して示す分解縦断面図である。
【図７】図７は、図１に示した浴室用建具の要部を下方から見たもので、（ａ）は押圧部材を非当接位置に配置した状態の斜視図、（ｂ）は押圧部材を当接位置に配置した状態の斜視図である。
【図８】図８は、本発明の実施の形態２である取付構造を適用した浴室用建具の要部を示す縦断面図である。
【図９】図９は、図８に示した浴室用建具の要部を示す横断面図である。
【図１０】図１０は、図８に示した浴室用建具の枠体を防水パンに載置する以前の状態を示す分解縦断面図である。
【図１１】図１１は、図８に示した浴室用建具の枠体を防水パンに載置した状態を示す分解縦断面図である。
【図１２】図１２は、本発明の実施の形態３である取付構造を適用した浴室用建具の要部を示す縦断面図である。
【図１３】図１３は、図１２に示した浴室用建具の要部を示す横断面図である。
【図１４】図１４は、図１２に示した浴室用建具の枠体を防水パンに載置する以前の状態を示す分解縦断面図である。
【図１５】図１５は、図１２に示した浴室用建具の枠体を防水パンに載置した状態を示す分解縦断面図である。
【図１６】図１６は、本発明の実施の形態４である取付構造を適用した浴室用建具の要部を示す縦断面図である。
【図１７】図１７は、図１６に示した浴室用建具の枠体を防水パンに載置する以前の状態を示す分解縦断面図である。
【図１８】図１８は、図１６に示した浴室用建具の枠体を防水パンに載置した状態を示す縦断面図である。
【図１９】図１９は、図１６に示した浴室用建具の要部を下方から見たもので、（ａ）は押圧部材を非当接位置に配置した状態の斜視図、（ｂ）は押圧部材を当接位置に配置した状態の斜視図である。
【図２０】図２０は、本発明の実施の形態５である取付構造を適用した浴室用建具の要部を示す縦断面図である。
【図２１】図２１は、図２０に示した浴室用建具の枠体を防水パンに載置する以前の状態を示す分解縦断面図である。
【図２２】図２２は、本発明の実施の形態６である取付構造を適用した浴室用建具の要部を示す縦断面図である。
【図２３】図２３は、図２２に示した浴室用建具の枠体を防水パンに載置する以前の状態を示す分解縦断面図である。
【図２４】図２４は、本発明の実施の形態７である取付構造を適用した浴室用建具の要部を示す縦断面図である。
【図２５】図２５は、図２４に示した浴室用建具の枠体を防水パンに載置する以前の状態を示す分解縦断面図である。
【図２６】図２６は、図２４に示した浴室用建具の枠体を防水パンに載置した状態を示す縦断面図である。
【発明を実施するための形態】
【００２８】
以下、添付図面を参照しながら本発明に係る浴室用建具の取付構造の好適な実施の形態について詳細に説明する。
【００２９】
（実施の形態１）
図１及び図２は、本発明の実施の形態１である取付構造を適用した浴室用建具を示したものである。ここで例示する浴室用建具は、浴室と、浴室に隣接した脱衣室との間の出入口となる部分に設けられるものである。本実施の形態１では、特に、折れ戸と称される浴室用建具を例示している。折れ戸は、２枚の障子１０Ａ，１０Ｂと、２枚の障子１０Ａ，１０Ｂを開閉可能に支持する枠体２０とを備えて構成したものである。２枚の障子１０Ａ，１０Ｂは、それぞれ面材１１Ａ，１１Ｂの四周に上框１２Ａ，１２Ｂ、下框１３Ａ，１３Ｂ及び左右の縦框１４Ａ，１５Ａ、１４Ｂ，１５Ｂを装着することによって構成したもので、連結框１６を介して互いに折り畳み可能に連結してある。枠体２０は、上枠２１、下枠２２及び左右の縦枠２３を四周枠組みすることによって構成したものである。障子１０Ａ，１０Ｂを構成する框１２Ａ，１２Ｂ，１３Ａ，１３Ｂ，１４Ａ，１４Ｂ，１５Ａ，１５Ｂ、連結框１６及び枠体２０を構成する枠２１，２２，２３は、例えばアルミニウム合金や樹脂によって成形した押し出し形材であり、それぞれが全長にわたってほぼ一様な断面を有するように構成してある。
【００３０】
この折れ戸では、一方の障子１０Ａの吊り元となる縦框１４Ａが上下方向に沿った軸芯を中心に回転可能、かつ上枠２１及び下枠２２の長手方向への移動が制限された状態で枠体２０に支持してある。これに対してもう一方の障子１０Ｂの戸先となる縦框１５Ｂは、上下方向に沿った軸芯を中心に回転可能、かつ上枠２１及び下枠２２に形成したガイドレール２１ｆ，２２ｆに沿ってスライド可能となるように枠体２０に支持してある。従って、図２に示す状態から、連結框１６を浴室側に移動させるように操作力を加えれば、連結框１６が浴室側に突出するとともに、戸先となる縦框１５Ｂが吊り元となる縦框１４Ａに近づくように２枚の障子１０Ａ，１０Ｂが折り畳まれて枠体２０が開放することになる。図中の符号１７、１８は、それぞれ障子１０Ａ，１０Ｂを開閉操作するための操作ハンドルである。
【００３１】
一方、浴室には、浴室用建具を取り付ける以前に予め防水パン３０が設置されている。防水パン３０は、浴室の床部分を構成する床板部３１と、床板部３１の周囲から上方に向けて立設した縦板部３２とを有したもので、例えば樹脂によって一体に成形してある。この防水パン３０は、図１及び図３に示すように、床板部３１の上面が脱衣室の床面を構成する床材４０の上面よりも低くなり、かつ縦板部３２の上端が床材４０の上面を超えて突出するように設置してある。縦板部３２の外表面と床材４０の端面との間には、適宜隙間が確保してある。
【００３２】
また、実施の形態１で適用する防水パン３０には、床板部３１と縦板部３２との間となる部位に収容凹部３３が設けてある。収容凹部３３は、床板部３１の上面よりも一段低くなるように形成した凹状部分であり、床板部３１の周囲全周に設けてある。この収容凹部３３には、側壁パネルＳＷの下端部が収容してある。側壁パネルＳＷは、浴室の側壁を構成するもので、浴室への出入口となる部分を除いた箇所に配設してある。
【００３３】
以下、上述の防水パン３０を備えた浴室を取付対象とする浴室用建具の具体的な構成について説明し、併せて本発明の特徴部分について詳述する。
【００３４】
図３に示すように、枠体２０の下枠２２は、浴室側の縁部が防水パン３０における収容凹部３３の上面を覆い、かつ脱衣室側の縁部が床材４０の上面を覆う寸法を有したもので、略角筒状の下枠基部２２ａを有している。下枠基部２２ａは、防水パン３０の縦板部３２と脱衣室の床材４０との間の隙間に配置することのできる見込み寸法を有したものである。この下枠基部２２ａには、浴室側の上縁部分に防水パンカバー部２２ｂが設けてあるとともに、脱衣室側の上縁部分に床材カバー部２２ｃが設けてある。
【００３５】
防水パンカバー部２２ｂは、下枠基部２２ａの上縁部分からほぼ水平となるように延在した後、浴室に向かうに従って漸次下方に傾斜する平板状部分である。防水パンカバー部２２ｂの延在端部には、見付けカバー部２２ｄ及び下端屈曲部２２ｅが設けてある。見付けカバー部２２ｄは、防水パンカバー部２２ｂの延在端部から下方に向けて屈曲した部分である。見付けカバー部２２ｄの屈曲長さは、防水パン３０において床板部３１と収容凹部３３との段差にほぼ等しい寸法に形成してある。下端屈曲部２２ｅは、見付けカバー部２２ｄの下端から脱衣室側に向けて略直角に屈曲した部分である。下枠基部２２ａの上縁部分からの防水パンカバー部２２ｂの延在長さは、防水パン３０において床板部３１と収容凹部３３との段差面３４から縦板部３２の外周面までの距離とほぼ等しい寸法に設定してある。防水パンカバー部２２ｂにおいて下枠基部２２ａから水平に延在した部分の上面には、障子１０Ｂの縦框１５Ｂを案内するためのガイドレール２２ｆが突設してある。
【００３６】
床材カバー部２２ｃは、下枠基部２２ａの上縁部からほぼ水平に延在した後、上方に向けて屈曲し、さらに屈曲上端から脱衣室側に向けて屈曲することによって構成してある。床材カバー部２２ｃの延在端部は、下方に向けて屈曲してある。
【００３７】
また、下枠２２には、下枠基部２２ａの下面に押圧部材５０が配設してある。押圧部材５０は、図３及び図５に示すように、支持板部５０ａの一端部に押圧板部５０ｂを備えたもので、支持板部５０ａを介して下枠基部２２ａの下面に支持ネジ５１を螺合させることにより、支持ネジ５１の軸心回りに回転することが可能である。支持板部５０ａは、下枠基部２２ａの下面から離隔するように略直角に屈曲した後、支持ネジ５１から離隔する方向に向けて略直角に屈曲したものである。従って、押圧板部５０ｂの上面は、下枠基部２２ａの下面から離隔した位置において下枠基部２２ａの下面とほぼ平行となるように延在している。押圧板部５０ｂは、支持板部５０ａの両側から突出するように幅広に形成したもので、それぞれの端部に傾斜ガイド部５０ｃを有している。傾斜ガイド部５０ｃは、支持板部５０ａから離隔するに従って漸次下方に向けて傾斜するように延在した部分である。傾斜ガイド部５０ｃの延在端部には、それぞれ支持板部５０ａと略平行となるように延在した導入ガイド部５０ｄが連続している。
【００３８】
この押圧部材５０は、支持ネジ５１に対して押圧板部５０ｂが浴室側となるように配置した場合に、押圧板部５０ｂが防水パンカバー部２２ｂの水平に延在する部分を超えて下方に傾斜する部分に対向することのできる寸法に形成してある。本実施の形態１では、支持板部５０ａ、押圧板部５０ｂ、傾斜ガイド部５０ｃ及び導入ガイド部５０ｄが金属によって一体成形された押圧部材５０を適用している。図には明示していないが、下枠２２の下枠基部２２ａには、同一構成の押圧部材５０が互いの間に適宜な間隔を確保して複数箇所に配設してある。
【００３９】
図２及び図４に示すように、枠体２０の縦枠２３は、下枠２２と同等の見込み寸法を有したもので、角筒状を成す縦枠基部２３ａを有している。縦枠基部２３ａは、側壁パネルＳＷの板厚とほぼ等しい見込み寸法を有したものである。この縦枠基部２３ａには、脱衣室側に位置する内縁部分に側方カバー部２３ｂが設けてある。側方カバー部２３ｂは、縦枠基部２３ａの内縁部分からそれぞれ脱衣室側に向けて直線状に延在した部分である。図中の符号２３ｃは、障子１０Ａ，１０Ｂの縦框１４Ａ，１５Ｂとの間に介在するタイト材２４を装着するために側方カバー部２３ｂに設けたヒレ部である。
【００４０】
上記のように構成した下枠２２及び縦枠２３を備えた枠体２０を設置する場合には、図４及び図５に示すように、予め枠体２０の全幅、つまり下枠２２の長手寸法及び左右の縦枠２３の見付け寸法の総和とほぼ等しい寸法の範囲で防水パン３０の縦板部３２を切除し、脱衣室の床材４０から防水パン３０に至る出入口の下方内表面を平坦化しておく。縦板部３２を切除する寸法は、防水パン３０において収容凹部３３を設けた部分の下面から切除後の縦板部３２の上面までの高さ寸法Ｈが、防水パンカバー部２２ｂの水平に延在する部分と押圧板部５０ｂの上面との間の寸法Ｄよりも、距離ａだけ小さくなるように設定する（Ｈ＝Ｄ−ａ）。
【００４１】
次いで、床板部３１と収容凹部３３との段差面３４に接触するように収容凹部３３の上面（止水面）に一次止水材３５を配置するとともに、縦板部３２の切断端面（止水面）に二次止水材３６を配置する。一次止水材３５及び二次止水材３６としては、作業性を考慮した場合、養生時間が不要となる乾式のものであることが好ましく、上述した距離ａよりも大きな板厚ｔを有するものを適用する。特に、収容凹部３３の上面に配置する一次止水材３５としては、側壁パネルＳＷの下面と収容凹部３３との間に配設する止水材を兼用すれば、図４に示すように、浴室と脱衣室との間に一連の一次止水ラインを構成することができる。
【００４２】
次いで、図５及び図６に示すように、押圧板部５０ｂが浴室側に突出しない位置となるように押圧部材５０を配置した状態（非当接位置）で、枠体２０を防水パン３０と床材４０との間に架け渡すように配置する。この状態においては、防水パン３０に配設したそれぞれの止水材３５，３６に対して下枠２２における下端屈曲部２２ｅの下面（止水面）及び防水パンカバー部２２ｂの水平に延在する部分の下面（止水面）が当接し、枠体２０の自重によって止水材３５，３６が下枠２２及び防水パン３０のそれぞれに対して当接されることになる。
【００４３】
ここで、防水パン３０や下枠２２が精度良く成形され、かつ反り等の変形がない状態であれば、枠体２０の自重のみによっても下枠２２の全長にわたって止水材３５，３６が防水パン３０及び下枠２２に当接された状態となり、浴室の水が防水パン３０と下枠２２との隙間から外部に漏出するおそれがなくなる。しかしながら、実際には防水パン３０や下枠２２の成形誤差や反り等の変形の影響をなくすことはできず、枠体２０の自重のみでは下枠２２の全長にわたって止水材３５，３６を防水パン３０及び下枠２２に連続して当接させることが難しい。
【００４４】
そこで、この実施の形態１では、図７の（ａ）に示す状態から押圧部材５０を回転させ、図７の（ｂ）に示すように、押圧板部５０ｂを防水パン３０の下面に当接させるようにしている。上述したように、止水材３５，３６としては、距離ａよりも板厚ｔの大きなものを適用している。従って、押圧部材５０を防水パン３０の下面に当接させた場合には、図３に示すように、防水パン３０と下枠２２との間に配設した止水材３５，３６が押し潰され、それぞれに対して確実に圧着された状態に維持されることになり、浴室の水が防水パン３０と下枠２２との隙間から外部に漏出するおそれがなくなる。
【００４５】
しかも、押圧部材５０には、押圧板部５０ｂの両側に導入ガイド部５０ｄ及び傾斜ガイド部５０ｃを設けるようにしている。従って、押圧板部５０ｂが浴室側に突出した当接位置となるように移動させる際には、いずれの方向に回転させた場合にも傾斜ガイド部５０ｃの傾斜作用を利用することができ、大きな操作力を要することなく押圧板部５０ｂを防水パン３０の下面に当接させることが可能である。
【００４６】
その後、下枠２２の床材カバー部２２ｃを介して床材４０にネジＳを螺合させ、さらに縦枠２３を介して側壁パネルＳＷにネジＳを螺合させれば、浴室と脱衣室との間に一次止水材３５による一次止水ラインと、二次止水材３６による二次止水ラインとを確保した状態で枠体２０を取り付けることが可能となる。
【００４７】
なお、上述した実施の形態１では、床板部３１と縦板部３２との間に収容凹部３３を有した防水パン３０を備える浴室を取付対象とした浴室用建具の取付構造について例示したが、防水パンの形状は、実施の形態１のものに限らず、例えば、以下に記載する実施の形態２の防水パンや実施の形態３の防水パンに対しても同様に適用可能である。
【００４８】
（実施の形態２）
図８及び図９は、本発明の実施の形態２である取付構造を適用した浴室用建具を示したものである。ここで例示する浴室用建具は、実施の形態１と同様、浴室と、浴室に隣接した脱衣室との間の出入口となる部分に設けられるもので、実施の形態１とは浴室に設置された防水パンの形状及び下枠の形状が異なっている。以下、実施の形態１と異なる点について詳述し、実施の形態１と同様の構成については同一の符号を付してそれぞれの詳細説明を省略する。
【００４９】
実施の形態２の浴室に設置される防水パン１３０では、実施の形態１の防水パン３０に設けてあった収容凹部３３が存在せず、浴室の床部分を構成する床板部１３１の周囲に直接縦板部１３２が設けてある。床板部１３１からの縦板部１３２の突出高さは、実施の形態１のものに比べて低く抑えてある。床板部１３１及び縦板部１３２が樹脂によって一体に成形してある点は、実施の形態１と同様である。この防水パン１３０は、縦板部１３２の上端が脱衣室の床面を構成する床材４０の上面よりも低くなるように設置してある。縦板部１３２の外表面と床材４０の端面との間には、適宜隙間が確保してある。
【００５０】
一方、枠体２０の下枠１２２は、浴室側の縁部が防水パン１３０における床板部１３１の上面を覆い、かつ脱衣室側の縁部が床材４０の上面を覆う寸法を有したもので、略角筒状の下枠基部１２２ａを有している。下枠基部１２２ａは、防水パン１３０の縦板部１３２と脱衣室の床材４０との間の隙間に配置することのできる見込み寸法を有したものである。この下枠基部１２２ａには、浴室側の上縁部分に防水パンカバー部１２２ｂが設けてあるとともに、脱衣室側の上縁部分に床材カバー部１２２ｃが設けてある。
【００５１】
防水パンカバー部１２２ｂは、下枠基部１２２ａの上縁部分からほぼ水平となるように延在した後、浴室に向かうに従って漸次下方に傾斜する平板状部分である。防水パンカバー部１２２ｂの延在端部は、湾曲しながら下方に延在した後、下端屈曲部１２２ｄに連続している。下端屈曲部１２２ｄは、脱衣室側に向けてほぼ水平に延在した平板状部分である。下端屈曲部１２２ｄの延在端部には、下方に向けて屈曲した突当部１２２ｅが設けてある。防水パンカバー部１２２ｂにおいて下枠基部１２２ａから水平に延在した部分の上面には、ガイドレール１２２ｆが突設してある。
【００５２】
床材カバー部１２２ｃは、下枠基部１２２ａの上縁部からほぼ水平に延在した後、上方に向けて屈曲し、さらに屈曲上端から脱衣室側に向けて屈曲することによって構成してある。床材カバー部１２２ｃの延在端部は、下方に向けて屈曲してある。
【００５３】
支持板部５０ａ、押圧板部５０ｂ、傾斜ガイド部５０ｃ及び導入ガイド部５０ｄを有した押圧部材５０が支持ネジ５１によって下枠基部１２２ａの下面に回転可能に配設してある点は、実施の形態１と同様である。但し、実施の形態２の押圧部材５０では、支持ネジ５１に対して押圧板部５０ｂが浴室側となるように配置した場合に、押圧板部５０ｂが下枠１２２の下端屈曲部１２２ｄに対向することのできる寸法に形成してある。また、下枠１２２の突当部１２２ｅと押圧板部５０ｂの上面との間には、床板部１３１の板厚とほぼ同じ距離Ｄ２が確保されるように設定してある。さらに、防水パンカバー部１２２ｂの水平に延在する部分と押圧板部５０ｂの上面との間には、防水パン１３０の下面から縦板部１３２の上端までの距離よりも大きな寸法が確保してある。
【００５４】
上記のように構成した下枠１２２を備えた枠体２０を設置する場合には、図１０に示すように、床板部１３１の上面（止水面）に止水材１３５を配置する。止水材１３５としては、作業性を考慮した場合、養生時間が不要となる乾式のものであることが好ましく、下端屈曲部１２２ｄの下面からの突当部１２２ｅの突出高さｈ２よりも大きな板厚ｔ２を有するものを適用する。特に、止水材１３５としては、側壁パネルＳＷの下面と床板部１３１の上面との間に配設する止水材を兼用すれば、図９に示すように、浴室と脱衣室との間に一連の止水ラインを構成することができる。
【００５５】
次いで、図１０及び図１１に示すように、押圧部材５０を非当接位置に配置した状態で枠体２０を防水パン１３０と床材４０との間に架け渡すように配置する。この状態においては、防水パン１３０に配設した止水材１３５に対して下枠１２２における下端屈曲部１２２ｄの下面（止水面）が当接し、枠体２０の自重によって止水材１３５が下枠１２２及び防水パン１３０のそれぞれに対して当接されることになる。
【００５６】
さらに、この実施の形態２では、非当接位置に配置された押圧部材５０を回転させ、図８に示すように、押圧板部５０ｂを防水パン１３０の下面に当接させる。上述したように、止水材１３５としては、下端屈曲部１２２ｄの下面からの突当部１２２ｅの突出高さｈ２よりも大きな板厚ｔ２を有するものを適用している。従って、押圧部材５０を防水パン１３０の下面に当接させた場合には、防水パン１３０と下枠１２２との間に配設した止水材１３５が押し潰され、それぞれに対して確実に圧着された状態に維持されることになる。これにより、仮に防水パン１３０や下枠１２２に成形時の誤差や反り等の変形が生じていたとしても浴室の水が防水パン１３０と下枠１２２との隙間から外部に漏出するおそれがなくなる。
【００５７】
しかも、押圧部材５０には、押圧板部５０ｂの両側に導入ガイド部５０ｄ及び傾斜ガイド部５０ｃを設けるようにしている。従って、押圧部材５０を非当接位置から当接位置に移動させる際には、いずれの方向に回転させた場合にも傾斜ガイド部５０ｃの傾斜作用を利用することができ、大きな操作力を要することなく押圧板部５０ｂを防水パン１３０の下面に当接させることが可能である。
【００５８】
その後、下枠１２２の床材カバー部１２２ｃを介して床材４０にネジＳを螺合させ、さらに縦枠２３を介して側壁パネルＳＷにネジＳを螺合させれば、浴室と脱衣室との間に止水材１３５による止水ラインを確保した状態で枠体２０を取り付けることが可能となる。
【００５９】
（実施の形態３）
図１２及び図１３は、本発明の実施の形態３である取付構造を適用した浴室用建具を示したものである。ここで例示する浴室用建具は、実施の形態１と同様、浴室と、浴室に隣接した脱衣室との間の出入口となる部分に設けられるもので、実施の形態１とは浴室に設置された防水パンの形状及び下枠の形状が異なっている。以下、実施の形態１と異なる点について詳述し、実施の形態１と同様の構成については同一の符号を付してそれぞれの詳細説明を省略する。
【００６０】
実施の形態３の浴室に設置される防水パン２３０では、実施の形態１の防水パン３０に設けてあった収容凹部３３が存在せず、図１４に示すように、浴室の床部分を構成する床板部２３１の周囲に直接縦板部２３２が設けてある。縦板部２３２は、床板部２３１から上方に向けて突出した第１縦板部２３２ａと、第１縦板部２３２ａの上端部から外方に向けて略直角に屈曲した中段部２３２ｂと、中段部２３２ｂの延在端部から上方に向けて屈曲した第２縦板部２３２ｃとを有したものである。縦板部２３２の中段部２３２ｂには、その上面に浴室の側壁パネルＳＷが搭載されている。この防水パン２３０は、床板部２３１の上面が脱衣室の床面を構成する床材４０の上面よりも低くなり、かつ縦板部２３２の上端が床材４０の上面を超えて突出するように設置してある。縦板部２３２の外表面と床材４０の端面との間には、適宜隙間が確保してある。
【００６１】
一方、枠体２０の下枠２２２は、図１２に示すように、浴室側の縁部が防水パン２３０における床板部２３１の上面を覆い、かつ脱衣室側の縁部が床材４０の上面を覆う寸法を有したもので、略角筒状の下枠基部２２２ａを有している。この下枠基部２２２ａには、浴室側の上縁部分に防水パンカバー部２２２ｂが設けてあるとともに、脱衣室側の上縁部分に床材カバー部２２２ｃが設けてある。
【００６２】
防水パンカバー部２２２ｂは、下枠基部２２２ａの上縁部分から浴室に向かうに従って漸次下方に傾斜する平板状部分である。床材カバー部２２２ｃは、下枠基部２２２ａの上縁部からほぼ水平に延在した後、上方に向けて屈曲し、さらに屈曲上端から脱衣室側に向けて屈曲することによって構成してある。床材カバー部２２２ｃの延在端部は、下方に向けて屈曲してある。下枠基部２２２ａにおいて浴室側の上縁部分に近接する部分には、ガイドレール２２２ｆが突設してある。
【００６３】
また、この下枠２２２には、下枠基部２２２ａの浴室側下縁部分及び防水パンカバー部２２２ｂの中間部下面にそれぞれ突当板部２２２ｄが設けてある。突当板部２２２ｄは、見込み方向に並設された互いに平行となる平板部であり、個々の下端面が同じ高さとなるように形成してある。
【００６４】
支持板部５０ａ、押圧板部５０ｂ、傾斜ガイド部５０ｃ及び導入ガイド部５０ｄを有した押圧部材５０が支持ネジ５１によって下枠基部２２２ａの下面に回転可能に配設してある点は、実施の形態１と同様である。但し、実施の形態３の押圧部材５０では、支持ネジ５１に対して押圧板部５０ｂが浴室側となるように配置した場合に、押圧板部５０ｂが脱衣室側に設けた突当板部２２２ｄの下面に対向することのできる寸法に形成してある。
【００６５】
上記のように構成した下枠２２２を備えた枠体２０を設置する場合には、図１３に示すように、予め枠体２０の全幅、つまり下枠２２２の長手寸法及び左右の縦枠２３の見付け寸法の総和とほぼ等しい寸法の範囲で防水パン２３０の縦板部２３２を切除し、脱衣室の床材４０から防水パン２３０に至る出入口の下方内表面を平坦化しておく。縦板部２３２を切除する場合には、切断端面２３３が上下に沿った平面となるように床板部２３１との境界部分まで行う。
【００６６】
次いで、防水パン２３０において縦板部２３２を切除した部分に延長部材２４０を取り付ける。延長部材２４０は、金属製の板材によって成形したもので、取付ネジＳによって防水パン２３０に固定してある。本実施の形態３では、防水パン２３０の下面に当接する延長基部２４０ａと、延長基部２４０ａから一旦下方に突出した後に屈曲し、脱衣室に向けてほぼ水平に延在した延長支持部２４０ｂと、延長支持部２４０ｂの延在端部から上方に向けて屈曲した延長縦壁部２４０ｃとを有した延長部材２４０を適用している。延長部材２４０の延長縦壁部２４０ｃは、床板部２３１の上面とほぼ同じ高さとなるように設定してある。延長部材２４０の延長縦壁部２４０ｃと床板部２３１の切断端面２３３との間には、下枠２２２に設けた２つの突当板部２２２ｄを同時に収容することのできる寸法が確保してある。
【００６７】
次いで、図１４に示すように、床板部２３１の上面（止水面）に一次止水材２３５を配置するとともに、延長部材２４０における延長縦壁部２４０ｃの上面（止水面）に二次止水材２３６を配置する。止水材２３５，２３６としては、作業性を考慮した場合、養生時間が不要となる乾式のものであることが好ましい。図１３及び図１４に示すように、床板部２３１の上面に配置する一次止水材２３５は、両端となる部分が縦板部２３２に向かうように湾曲させ、湾曲した部分を縦板部２３２の第１縦板部２３２ａ、中段部２３２ｂ及び第２縦板部２３２ｃの内表面に沿って延在させている。一次止水材２３５のこの湾曲した部分は、縦枠２３の下端面に当接される部分となる。なお、縦枠２３の下端面は、防水パン２３０の縦板部２３２に倣って切断し、さらに角筒状を成す縦枠基部２３ａの下端開口は、キャップ（図示せず）によって閉塞しておくことが好ましい。
【００６８】
次いで、図１４及び図１５に示すように、押圧部材５０を非当接位置に配置した状態で枠体２０を防水パン２３０と床材４０との間に架け渡すように配置する。この状態においては、防水パン２３０に配設したそれぞれの止水材２３５，２３６に対して下枠２２２の防水パンカバー部２２２ｂ及び下枠基部２２２ａの下面（止水面）が当接し、枠体２０の自重によって止水材２３５，２３６が下枠２２２及び防水パン２３０のそれぞれに対して当接されることになる。なお、一次止水材２３５の湾曲した両端部には、それぞれ縦枠２３の下端面が当接することになる。
【００６９】
さらに、この実施の形態３では、非当接位置に配置された押圧部材５０を回転させ、図１２に示すように、押圧板部５０ｂを防水パン２３０の下面に当接させると、防水パン２３０と下枠２２２との間に配設した止水材２３５，２３６が押し潰され、それぞれに対して確実に圧着された状態に維持されることになる。これにより、仮に防水パン２３０や下枠２２２に成形時の誤差や反り等の変形が生じていたとしても浴室の水が防水パン２３０と下枠２２２との隙間から外部に漏出するおそれがなくなる。
【００７０】
しかも、押圧部材５０には、押圧板部５０ｂの両側に導入ガイド部５０ｄ及び傾斜ガイド部５０ｃを設けるようにしている。従って、押圧部材５０を非当接位置から当接位置に移動させる際には、いずれの方向に回転させた場合にも傾斜ガイド部５０ｃの傾斜作用を利用することができ、大きな操作力を要することなく押圧板部５０ｂを防水パン２３０の下面に当接させることが可能である。
【００７１】
その後、下枠２２２の床材カバー部２２２ｃを介して床材４０にネジＳを螺合させ、さらに縦枠２３を介して側壁パネルＳＷにネジＳを螺合させれば、浴室と脱衣室との間に止水材２３５，２３６による止水ラインを確保した状態で枠体２０を取り付けることが可能となる。
【００７２】
なお、上述した実施の形態１〜実施の形態３では、押圧部材を鉛直軸回りに回転させることによって非当接位置と当接位置とに移動させるようにしているが、本発明はこれに限定されず、例えば、実施の形態４のように、押圧部材を水平軸回りに回転させるように構成することも可能である。
【００７３】
（実施の形態４）
図１６は、本発明の実施の形態４である取付構造を適用した浴室用建具を示したものである。ここで例示する浴室用建具は、実施の形態１と同様、浴室と、浴室に隣接した脱衣室との間の出入口となる部分に設けられるもので、実施の形態１とは下枠の形状及び押圧部材の形状が異なっている。以下、実施の形態１と異なる点について詳述し、実施の形態１と同様の構成については同一の符号を付してそれぞれの詳細説明を省略する。
【００７４】
枠体２０の下枠３２２は、浴室側の縁部が防水パン３０における収容凹部３３の上面を覆い、かつ脱衣室側の縁部が床材４０の上面を覆う寸法を有したもので、略角筒状の下枠基部３２２ａを有している。下枠基部３２２ａは、防水パン３０の縦板部３２と脱衣室の床材４０との間の隙間に配置することのできる見込み寸法を有したものである。この下枠基部３２２ａには、浴室側の上縁部分に防水パンカバー部３２２ｂが設けてあるとともに、脱衣室側の上縁部分に床材カバー部３２２ｃが設けてある。
【００７５】
防水パンカバー部３２２ｂは、下枠基部３２２ａの上縁部分からほぼ水平となるように延在した後、浴室に向かうに従って漸次下方に傾斜する平板状部分である。防水パンカバー部３２２ｂの延在端部には、見付けカバー部３２２ｄ、下端屈曲部３２２ｅ及び縦板対向部３２２ｇが設けてある。見付けカバー部３２２ｄは、防水パンカバー部３２２ｂの延在端部から下方に向けて屈曲した部分である。見付けカバー部３２２ｄの屈曲長さは、防水パン３０において床板部３１と収容凹部３３との段差よりも大きい寸法に形成してある。下端屈曲部３２２ｅは、見付けカバー部３２２ｄの下端から脱衣室側に向けて略直角に屈曲した部分である。縦板対向部３２２ｇは、下端屈曲部３２２ｅの延在端部から上方に向けて略直角に屈曲した部分であり、屈曲端部が防水パンカバー部３２２ｂの下面に接合している。下端屈曲部３２２ｅの延在長さは、収容凹部３３の幅よりも小さく設定してある。防水パンカバー部３２２ｂにおいて下枠基部３２２ａから水平に延在した部分の上面には、障子１０Ｂの縦框１５Ｂを案内するためのガイドレール３２２ｆが突設してある。
【００７６】
床材カバー部３２２ｃは、下枠基部３２２ａの上縁部からほぼ水平に延在した後、上方に向けて屈曲し、さらに屈曲上端から脱衣室側に向けて屈曲することによって構成してある。床材カバー部３２２ｃの延在端部は、下方に向けて屈曲してある。
【００７７】
また、下枠３２２には、下枠基部３２２ａにおいて脱衣室に臨む側面に押圧部材１５０が配設してある。押圧部材１５０は、図１７〜図１９に示すように、平板状を成す支持板部１５０ａの一端部に押圧板部１５０ｂを備えたもので、下枠基部３２２ａの側面に形成したネジ孔３２２ａ１に支持板部１５０ａを介して支持ネジ５１を螺合させることにより、支持ネジ５１の軸心回りに回転することが可能である。押圧板部１５０ｂは、支持板部１５０ａの一方の側縁から略直角に屈曲した下方カバー部１５０ｂ１と、下方カバー部１５０ｂ１から支持板部１５０ａと対向する向きにさらに略直角に屈曲した側方カバー部１５０ｂ２とを備えたものである。側方カバー部１５０ｂ２の延在端部には、漸次支持板部１５０ａに近接する向きに傾斜した挿入ガイド部１５０ｂ３が設けてある。支持板部１５０ａと挿入ガイド部１５０ｂ３の端部との間には、下枠３２２の下枠基部３２２ａを収容することのできる寸法が確保してある。また、側方カバー部１５０ｂ２と縦板対向部３２２ｇとの間には、防水パン３０における縦板部３２の板厚とほぼ等しい隙間が確保してある。本実施の形態４では、支持板部１５０ａ、押圧板部１５０ｂが金属によって一体成形された押圧部材１５０を適用している。図には明示していないが、下枠３２２の下枠基部３２２ａには、同一構成の押圧部材１５０が互いの間に適宜な間隔を確保して複数箇所に配設してある。
【００７８】
上記のように構成した下枠３２２を備えた枠体２０を設置する場合には、実施の形態１と同様、予め枠体２０の全幅とほぼ等しい寸法の範囲で防水パン３０の縦板部３２を切除し、脱衣室の床材４０から防水パン３０に至る出入口の下方内表面を平坦化しておく。
【００７９】
次いで、縦板部３２の内表面（止水面）に一次止水材３３５を配置するとともに、縦板部３２の切断端面（止水面）に二次止水材３３６を配置する。一次止水材３３５及び二次止水材３３６としては、作業性を考慮した場合、養生時間が不要となる乾式のものであることが好ましい。
【００８０】
次いで、図１７及び図１８に示すように、押圧板部１５０ｂが下枠基部３２２ａよりも下方に配置された位置となるように押圧部材１５０を配置した状態（非当接位置）で、枠体２０を防水パン３０と床材４０との間に架け渡すように配置する。この状態においては、縦板部３２の切断端面に配設した二次止水材３３６に対して防水パンカバー部３２２ｂの水平に延在する部分の下面（止水面）が当接し、枠体２０の自重によって二次止水材３３６が下枠３２２及び防水パン３０のそれぞれに対して当接されることになる。
【００８１】
さらに、この実施の形態４では、図１９の（ａ）に示す状態から押圧部材１５０を回転させ、図１９の（ｂ）に示すように、押圧板部１５０ｂを防水パン３０の外表面に当接させるようにしている。上述したように、押圧板部１５０ｂの側方カバー部１５０ｂ２と縦板対向部３２２ｇとの間には、防水パン３０における縦板部３２の板厚とほぼ等しい隙間が確保してある。従って、押圧部材１５０を防水パン３０の縦板部３２に当接させた場合には、図１６に示すように、縦板部３２の内表面に配設した一次止水材３３５が縦板対向部３２２ｇの外表面（止水面）に押し潰され、防水パン３０及び下枠３２２のそれぞれに対して確実に圧着された状態に維持されることになり、浴室の水が防水パン３０と下枠３２２との隙間から外部に漏出するおそれがなくなる。
【００８２】
しかも、押圧部材１５０には、押圧板部１５０ｂに挿入ガイド部１５０ｂ３を設けるようにしている。従って、押圧部材１５０を非当接位置から当接位置に移動させる際には、挿入ガイド部１５０ｂ３の傾斜作用を利用することができ、大きな操作力を要することなく押圧板部１５０ｂを防水パン３０の外表面に当接させることが可能である。
【００８３】
その後、下枠３２２の床材カバー部３２２ｃを介して床材４０にネジＳを螺合させれば、浴室と脱衣室との間に一次止水材３３５による一次止水ラインと、二次止水材３３６による二次止水ラインとを確保した状態で枠体２０を取り付けることが可能となる。
【００８４】
（実施の形態５）
図２０及び図２１は、本発明の実施の形態５である取付構造を適用した浴室用建具を示したものである。ここで例示する浴室用建具は、実施の形態１と同様、浴室と、浴室に隣接した脱衣室との間の出入口となる部分に設けられ、実施の形態１と同様の下枠２２を適用したものであり、実施の形態１とは圧着機構の構成が異なっている。以下、実施の形態１と異なる点について詳述し、実施の形態１と同様の構成については同一の符号を付してそれぞれの詳細説明を省略する。
【００８５】
実施の形態５では、下枠２２の下枠基部２２ａにおいて脱衣室に臨む側面に突当部材４００を設けるとともに、防水パン３０に取り付けた延長部材４１０にネジ部材４２０を設けることによって圧着機構が構成してある。突当部材４００は、鋼材等、下枠２２よりも剛性の高い材質によって成形した平板状部材であり、下枠基部２２ａに設けた収容溝２２ｈの内部に配設してある。図には明示していないが、突当部材４００は、下枠２２の全長にわたって配設してある。
【００８６】
延長部材４１０は、金属製の板材によって成形したもので、取付ネジＳによって防水パン３０に固定してある。本実施の形態５では、防水パン３０の下面から脱衣室に向けてほぼ水平に延在した延長基部４１０ａと、延長基部４１０ａの延在端部から上方に向けて屈曲した延長縦壁部４１０ｂとを有した延長部材４１０を適用している。延長縦壁部４１０ｂと防水パン３０の縦板部３２との間には、下枠基部２２ａを収容することのできる寸法が確保してある。延長縦壁部４１０ｂにおいて下枠基部２２ａの収容溝２２ｈに対応する部位には、ネジ孔４１０ｂ１を介してネジ部材４２０が螺合してある。図には明示していないが、延長部材４１０は、防水パン３０において下枠２２を取り付ける部分の全長にわたって配設してある。これに対してネジ部材４２０は、延長縦壁部４１０ｂの長手方向に沿って複数箇所に配設してある。
【００８７】
この実施の形態５において枠体２０を設置する場合には、図２１に示すように、延長部材４１０に配設したネジ部材４２０を弛緩方向に回転させて螺進させ、ネジ部４２１の先端面が延長縦壁部４１０ｂの浴室に臨む面から突出しない状態に配置しておく。
【００８８】
次いで、防水パン３０の床板部３１と収容凹部３３との段差面（止水面）３４に止水材４３５を配置する。止水材４３５としては、作業性を考慮した場合、養生時間が不要となる乾式のものであることが好ましい。特に、止水材４３５としては、側壁パネルＳＷにおいて浴室に臨む側面と防水パン３０の段差面３４との間に配設する止水材４３５を兼用すれば、浴室と脱衣室との間に一連の止水ラインを構成することができる。
【００８９】
この状態から、図２０に示すように、枠体２０を防水パン３０と床材４０との間に架け渡すように配置すると、防水パン３０の段差面３４に配設した止水材４３５に対して下枠２２における見付けカバー部２２ｄの外表面（止水面）が当接されることになる。さらに、この状態から浴室側に向けてネジ部材４２０を螺進させると、ネジ部４２１の先端面が突当部材４００に当接することになり、以降、ネジ部材４２０の螺進に伴い下枠２２が防水パン３０に対して浴室側に相対移動する。従って、防水パン３０の段差面３４に配置した止水材４３５が押し潰され、防水パン３０及び下枠２２のそれぞれに対して確実に圧着された状態に維持されることになり、浴室の水が防水パン３０と下枠２２との隙間から外部に漏出するおそれがなくなる。
【００９０】
その後、下枠２２の床材カバー部２２ｃを介して床材４０にネジＳを螺合させれば、浴室と脱衣室との間に止水材４３５による止水ラインを確保した状態で枠体２０を取り付けることが可能となる。
【００９１】
（実施の形態６）
図２２及び図２３は、本発明の実施の形態６である取付構造を適用した浴室用建具を示したものである。ここで例示する浴室用建具は、実施の形態１と同様、浴室と、浴室に隣接した脱衣室との間の出入口となる部分に設けられたもので、実施の形態１とは下枠及び圧着機構の構成が異なっている。以下、実施の形態１と異なる点について詳述し、実施の形態１と同様の構成については同一の符号を付してそれぞれの詳細説明を省略する。
【００９２】
枠体２０の下枠４２２は、浴室側の縁部が防水パン３０における収容凹部３３の上面を覆い、かつ脱衣室側の縁部が床材４０の上面を覆う寸法を有したもので、略角筒状の下枠基部４２２ａを有している。下枠基部４２２ａは、防水パン３０の縦板部３２と脱衣室の床材４０との間の隙間に配置することのできる見込み寸法を有したものである。本実施の形態６では、下枠基部４２２ａの下面４２２ａ１が脱衣室側に向けて漸次下方に傾斜するように構成してある。この下枠基部４２２ａには、浴室側の上縁部分に防水パンカバー部４２２ｂが設けてあるとともに、脱衣室側の上縁部分に床材カバー部４２２ｃが設けてある。
【００９３】
防水パンカバー部４２２ｂは、下枠基部４２２ａの上縁部分からほぼ水平となるように延在した後、浴室に向かうに従って漸次下方に傾斜する平板状部分である。防水パンカバー部４２２ｂの延在端部には、見付けカバー部４２２ｄが設けてある。見付けカバー部４２２ｄは、防水パンカバー部４２２ｂの延在端部から下方に向けて屈曲した部分である。見付けカバー部４２２ｄの屈曲長さは、防水パン３０において床板部３１と収容凹部３３との段差よりも大きい寸法に形成してある。防水パンカバー部４２２ｂにおいて下枠基部４２２ａから水平に延在した部分の上面には、障子１０Ｂの縦框１５Ｂを案内するためのガイドレール４２２ｆが突設してある。
【００９４】
床材カバー部４２２ｃは、下枠基部４２２ａの上縁部からほぼ水平に延在した後、上方に向けて屈曲し、さらに屈曲上端から脱衣室側に向けて屈曲することによって構成してある。床材カバー部４２２ｃの延在端部は、下方に向けて屈曲してある。
【００９５】
また、下枠４２２には、押圧片部４２２ｇ及びガイド通路４２２ｈが設けてあるとともに、ガイド通路４２２ｈにスライダ５００が配設してある。押圧片部４２２ｇは、防水パンカバー部４２２ｂの下面から下方に向けて延在した後、浴室側に向けて屈曲したものである。押圧片部４２２ｇから見付けカバー部４２２ｄまでの寸法は、防水パン３０の収容凹部３３において段差面３４から縦板部３２の内表面までの距離よりも小さく設定してある。押圧片部４２２ｇの延在長さは、収容凹部３３の上面から縦板部３２の切断端面までの距離よりも大きく設定してある。ガイド通路４２２ｈは、下枠基部４２２ａにおいて浴室側の下縁部分からガイド壁部４２２ｊを延在することにより、下枠基部４２２ａとの間に構成したものである。ガイド壁部４２２ｊは、下枠基部４２２ａから下方に向けて突出した後、脱衣室側に向けて屈曲している。ガイド壁部４２２ｊにおいて下枠基部４２２ａの下面４２２ａ１に対向する部分は、下枠基部４２２ａの下面４２２ａ１と平行となるように脱衣室に向けて漸次下方に傾斜している。スライダ５００は、上下方向に沿った姿勢でガイド通路４２２ｈに配設した平板状部材である。スライダ５００は、上端面が下枠基部４２２ａの下面４２２ａ１に沿って傾斜し、かつ下端面がガイド壁部４２２ｊの傾斜部分に沿って傾斜しており、上下方向に沿った姿勢でガイド通路４２２ｈの延在方向に移動することが可能である。図には明示していないが、このスライダ５００には、長手方向に沿った複数箇所にネジ挿通孔５０１が形成してある。また、ガイド壁部４２２ｊにおいてスライダ５００に対向する部位には、スライダ５００のネジ挿通孔５０１に対向する部位にネジ挿通用長孔４２２ｋが形成してある。ネジ挿通用長孔４２２ｋは、スライダ５００のネジ挿通孔５０１に対して上下方向に寸法を拡大した長孔状を成すものである。
【００９６】
一方、実施の形態６の取付構造では、防水パン３０において縦板部３２を切除した部分に延長部材３４０を取り付けるようにしている。延長部材３４０は、金属製の板材によって成形したもので、取付ネジＳによって防水パン３０に固定してある。本実施の形態６では、防水パン３０の下面に当接する延長基部３４０ａと、延長基部３４０ａから下方に向けて屈曲した延長支持部３４０ｂとを有した延長部材３４０を適用している。延長支持部３４０ｂは、防水パン３０の縦板部３２よりも脱衣室側に突出するように構成してある。図には明示していないが、延長支持部３４０ｂには、スライダ５００のネジ挿通孔５０１に対応して複数のネジ孔３４０ｃが設けてある。
【００９７】
この実施の形態６において枠体２０を設置する場合には、図２３に示すように、防水パン３０の収容凹部３３から縦板部３２にわたる部位（止水面）に略Ｌ字状に一次止水材５３５を配置し、さらに縦板部３２の切断端面（止水面）に二次止水材５３６を配置する。止水材５３５，５３６としては、作業性を考慮した場合、養生時間が不要となる乾式のものであることが好ましい。特に、一次止水材５３５としては、側壁パネルＳＷにおいて脱衣室に臨む側面と縦板部３２の内表面との間から側壁パネルＳＷの下面と収容凹部３３の上面との間にわたって配設するＬ字状の止水材を兼用すれば、浴室と脱衣室との間に一連の止水ラインを構成することができる。
【００９８】
この状態から、図２２に示すように、枠体２０を防水パン３０と床材４０との間に架け渡すように配置すると、防水パン３０に配設した一次止水材５３５に対して下枠４２２における押圧片部４２２ｇの外表面及び下面（止水面）が当接されるとともに、縦板部３２の切断端面に配設した二次止水材５３６に対して防水パンカバー部４２２ｂの水平に延在する部分の下面（止水面）が当接されることになる。
【００９９】
さらに、この状態からスライダ５００のネジ挿通孔５０１及びガイド壁部４２２ｊのネジ挿通用長孔４２２ｋを介して延長部材３４０のネジ孔３４０ｃにネジ部材５０２を螺合させると、ネジ部材５０２の頭部に当接するスライダ５００がガイド通路４２２ｈに沿って漸次浴室側に移動するため、防水パン３０に対して下枠４２２が脱衣室側に向けて下方に相対移動する。従って、一次止水材５３５が下枠４２２と縦板部３２の内表面との間及び収容凹部３３の上面との間で押し潰されるとともに、二次止水材５３６が下枠４２２と縦板部３２の切断端面との間で押し潰され、これらの止水材５３５，５３６が防水パン３０及び下枠４２２のそれぞれに対して確実に圧着された状態に維持されることになり、浴室の水が防水パン３０と下枠４２２との隙間から外部に漏出するおそれがなくなる。
【０１００】
その後、下枠４２２の床材カバー部４２２ｃを介して床材４０にネジＳを螺合させれば、浴室と脱衣室との間に一次止水材５３５による一次止水ラインと、二次止水材５３６による二次止水ラインとを確保した状態で枠体２０を取り付けることが可能となる。
【０１０１】
（実施の形態７）
図２４及び図２５は、本発明の実施の形態７である取付構造を適用した浴室用建具を示したものである。ここで例示する浴室用建具は、実施の形態３と同様、浴室と、浴室に隣接した脱衣室との間の出入口となる部分に設けられるもので、実施の形態３とは下枠及び圧着機構が異なっている。以下、実施の形態３と異なる点について詳述し、実施の形態３と同様の構成については同一の符号を付してそれぞれの詳細説明を省略する。
【０１０２】
枠体２０の下枠５２２は、図２４に示すように、浴室側の縁部が防水パン２３０における床板部２３１の上面を覆い、かつ脱衣室側の縁部が床材４０の上面を覆う寸法を有したもので、略角筒状の下枠基部５２２ａを有している。下枠基部５２２ａには、浴室側の上縁部分に防水パンカバー部５２２ｂが設けてあるとともに、脱衣室側の上縁部分に床材カバー部５２２ｃが設けてある。防水パンカバー部５２２ｂは、下枠基部５２２ａの上縁部分から浴室に向かうに従って漸次下方に傾斜する平板状部分である。床材カバー部５２２ｃは、下枠基部５２２ａの上縁部からほぼ水平に延在した後、上方に向けて屈曲し、さらに屈曲上端から脱衣室側に向けて屈曲することによって構成してある。床材カバー部５２２ｃの延在端部は、下方に向けて屈曲してある。床材カバー部５２２ｃにおいて水平に延在する部分には、ガイドレール５２２ｆが突設してある。
【０１０３】
また、下枠基部５２２ａには、係合突起５２２ｇが設けてある。係合突起５２２ｇは、下枠基部５２２ａにおいて脱衣室に臨む側面に形成したものである。本実施の形態７では、下枠基部５２２ａの側面下半部を脱衣室側に向けて突出することにより係合突起５２２ｇを形成し、係合突起５２２ｇと下枠基部５２２ａの側面との間に係合面５２２ｈを設けるようにしている。
【０１０４】
一方、実施の形態７の取付構造では、防水パン２３０において縦板部２３２を切除した部分に延長部材４４０を取り付けるとともに、延長部材４４０にフック部材４５０を設けるようにしている。延長部材４４０は、金属製の板材によって成形したもので、取付ネジＳによって防水パン２３０に固定してある。本実施の形態７では、防水パン２３０の下面に当接する延長基部４４０ａと、延長基部４４０ａから一旦下方に突出した後に屈曲し、脱衣室に向けてほぼ水平に延在した延長支持部４４０ｂと、延長支持部４４０ｂの延在端部から上方に向けて屈曲した延長縦壁部４４０ｃと、延長縦壁部４４０ｃから脱衣室に向けて屈曲した後、下方に向けてさらに屈曲した連結片部４４０ｄとを有した延長部材４４０を適用している。延長部材４４０の延長縦壁部４４０ｃと床板部２３１の切断端面２３３との間には、下枠５２２の下枠基部５２２ａを収容することのできる寸法が確保してある。
【０１０５】
フック部材４５０は、バネ鋼等の金属製薄板によって成形したもので、固定ネジ４５１によって延長部材４４０の連結片部４４０ｄに固定してある。このフック部材４５０は、連結片部４４０ｄから上方に延在した後、浴室側に向けて屈曲し、さらに下方に向けて屈曲することにより、屈曲端部が延長縦壁部４４０ｃの内表面に当接している。フック部材４５０には、浴室に臨む面にフック部４５０ａが設けてある。フック部４５０ａは、下方に向けて漸次浴室側に突出した後、脱衣室側に屈曲したもので、延長支持部４４０ｂの上面に対向するフック面４５０ｂを構成している。フック面４５０ｂと延長支持部４４０ｂの上面との間の距離は、下枠基部５２２ａの下面から係合面５２２ｈまでの距離とほぼ等しくなるように設定してある。
【０１０６】
この実施の形態７において枠体２０を設置する場合には、図２５に示すように、防水パン２３０の床板部２３１において下枠５２２の防水パンカバー部５２２ｂに覆われる部位の上面（止水面）に止水材２３５を配置する。止水材２３５としては、作業性を考慮した場合、養生時間が不要となる乾式のものであることが好ましい。
【０１０７】
この状態から、枠体２０を防水パン２３０及び床材４０に向けて近接させると、図２６に示すように、下枠５２２の係合突起５２２ｇが延長部材４４０に取り付けたフック部材４５０のフック部４５０ａに当接した状態となる。この状態からさらに枠体２０を下向きに押圧すると、フック部材４５０が適宜弾性変形することにより係合突起５２２ｇの通過が許容され、下枠基部５２２ａが延長部材４４０の延長支持部４４０ｂに収容される。従って、防水パン２３０に配設した止水材２３５が下枠５２２における防水パンカバー部５２２ｂの下面（止水面）と防水パン２３０との間で押し潰され、防水パン２３０及び下枠５２２のそれぞれに対して圧着される。
【０１０８】
ここで、下枠基部５２２ａの下面が延長支持部４４０ｂの上面に当接すると、フック部材４５０のフック部４５０ａが弾性復元力によって再び浴室側に突出し、フック面４５０ｂが係合突起５２２ｇの係合面５２２ｈと対向するため、防水パン２３０に対する下枠５２２の上方への相対移動が阻止される。これにより、止水材２３５は、防水パン２３０及び下枠５２２のそれぞれに対して確実に圧着された状態に維持されることになり、浴室の水が防水パン２３０と下枠５２２との隙間から外部に漏出するおそれがなくなる。
【０１０９】
その後、下枠５２２の床材カバー部５２２ｃを介して床材４０にネジＳを螺合させれば、浴室と脱衣室との間に止水材２３５による止水ラインを確保した状態で枠体２０を取り付けることが可能となる。
【０１１０】
なお、上述した実施の形態１〜実施の形態７では、浴室用建具として折れ戸を例示しているが、本発明は引戸や開き戸等、その他の浴室用建具を取り付ける場合に適用することが可能である。また、脱衣室の床から浴室までが略平坦となるものを例示しているが、脱衣室の床から浴室までに段差があったり、勾配がある場合にも適用することが可能である。
【０１１１】
さらに、上述した実施の形態１、実施の形態３、実施の形態４、実施の形態６では、一次止水材及び二次止水材を設けるようにしているため、浴室の水が漏出する事態をより確実に防止することができるが、本発明では二次止水材を必ずしも設ける必要はない。
【符号の説明】
【０１１２】
２０  枠体、２２，１２２，２２２，３２２，４２２，５２２  下枠、２２ｂ，２２２ｂ，３２２ｂ，４２２ｂ  防水パンカバー部、２２ｄ  見付けカバー部、２２ｅ  下端屈曲部、３０，１３０，２３０  防水パン、３２  縦板部、３３  収容凹部、３４  段差面、３５，３６，１３５，２３５，２３６，３３５，３３６，４３５，５３５，５３６  止水材、５０，１５０  押圧部材、１２２ｄ  下端屈曲部、１３１，２３１  床板部、２４０，３４０，４１０，４４０  延長部材、３２２ａ１，３４０ｃ  ネジ孔、４２０，５０２  ネジ部材、４２１  ネジ部、４５０ａ  フック部、５００  スライダ、５０１  ネジ挿通孔、５２２ｇ  係合突起
【図１】
0006533430.tif 000002
【図２】
0006533430.tif 000003
【図３】
0006533430.tif 000004
【図４】
0006533430.tif 000005
【図５】
0006533430.tif 000006
【図６】
0006533430.tif 000007
【図７】
0006533430.tif 000008
【図８】
0006533430.tif 000009
【図９】
0006533430.tif 000010
【図１０】
0006533430.tif 000011
【図１１】
0006533430.tif 000012
【図１２】
0006533430.tif 000013
【図１３】
0006533430.tif 000014
【図１４】
0006533430.tif 000015
【図１５】
0006533430.tif 000016
【図１６】
0006533430.tif 000017
【図１７】
0006533430.tif 000018
【図１８】
0006533430.tif 000019
【図１９】
0006533430.tif 000020
【図２０】
0006533430.tif 000021
【図２１】
0006533430.tif 000022
【図２２】
0006533430.tif 000023
【図２３】
0006533430.tif 000024
【図２４】
0006533430.tif 000025
【図２５】
0006533430.tif 000026
【図２６】
0006533430.tif 000027